(57)【特許請求の範囲】
【請求項１】
水平軸部を有するア−ム取手の水平軸部にロ−ルを軸支し、片面に粘着剤層を設けた粘着シ−トを粘着剤層を外側に向けて巻回した粘着シ−ト巻回体を前記のロ−ルに装着し、粘着シ−ト巻回体表面から離隔した位置に放電用電極を配してなるロ−ル式除塵クリ−ナを使用して除塵する方法であり、前記水平軸部を接地し、前記放電用電極で放電させ、この放電で巻回体表面を荷電し、該荷電で塵等の微粒子を静電的に吸引しつつ上記粘着剤層で粘着捕捉することを特徴とする除塵方法。
【請求項２】
水平軸部を有するア−ム取手の水平軸部にロ−ルを軸支し、片面に粘着剤層を設けた粘着シ−トを粘着剤層を外側に向けて巻回した粘着シ−ト巻回体を前記のロ−ルに装着し、粘着シ−ト巻回体表面に接触して荷電用電極を配してなるロ−ル式除塵クリ−ナを使用して除塵する方法であり、前記水平軸部を接地し、前記荷電用電極で荷電させて、この荷電で塵等の微粒子を静電的に吸引しつつ上記粘着剤層で粘着捕捉することを特徴とする除塵方法。
【請求項３】
水平軸部を有するア−ム取手の水平軸部に半導電性ロ−ルを軸支し、片面に粘着剤層を設けた粘着シ−トを粘着剤層を外側に向けて巻回した粘着シ−ト巻回体を前記の半導電性ロ−ルに装着し、該ロ−ルの内部に該ロールを接触または放電により荷電する電極を設けてなるロ−ル式除塵クリ−ナを使用して除塵する方法であり、前記水平軸部を接地し、前記ロ−ルを荷電させて、この荷電で塵等の微粒子を静電的に吸引しつつ上記粘着剤層で粘着捕捉することを特徴とする除塵方法。
【請求項４】
ロ−ル式除塵クリ−ナのア−ム取手に接地ロ−ル、または接地シ−トを付設することを特徴とする請求項１〜３何れか記載の除塵方法。
【発明の詳細な説明】
【０００１】
【発明の属する技術分野】
本発明は床面の凹部等に付着している塵や床面近傍の空間等に浮遊している塵も捕捉できる粘着タイプのロ−ル式除塵クリ−ナを使用して除塵する方法に関するものである。
【０００２】
【従来の技術】
床面等の除塵を行う場合、粘着タイプのロ−ル式クリ−ナ、すなわち、片面粘着シ−トを粘着剤層を外側に向けて巻回した粘着シ−ト巻回体を、取手付きのロ−ルに装着したクリ−ナを使用することが知られている。
このクリ−ナを使用して除塵を行うには、床面等の被除塵面に接触して粘着シ−ト巻回体装着ロ−ルを回動させ、被除塵面の塵を粘着剤層で粘着捕捉して行く。
【０００３】
【発明が解決しようとする課題】
しかしながら、この除塵方法では、粘着シ−ト巻回体装着ロ−ルの粘着剤層面と被除塵面との接触を不可欠とし、被除塵面の凹部や角に付着している塵や床面近傍の空間に浮遊している塵等は実際上、捕捉し得ない。
ところで、上記ロ−ル式除塵クリ−ナの被除塵面である床面は、電気的に接地平面である。而るに、接地平面の近傍に電荷や金属体が存在すると、静電気学上の静電誘導現象や影像電荷から理解できる通り、電気力線を上記凹部や角や床面近傍の空間にも分布させ、静電的な除塵が期待できる。
【０００４】
本発明の目的は、床面等に接触させて回動させることにより使用する粘着タイプのロ−ル式クリ−ナにおいて、静電誘導現象や影像電荷等を利用することにより、ロ−ルを接触させ得ない凹部等の塵等も確実に捕捉できるロ−ル式除塵クリ−ナを提供することにある。
【０００５】
【課題を解決するための手段】
本発明に係る除塵方法は、水平軸部を有するア−ム取手の水平軸部にロ−ルを軸支し、片面に粘着剤層を設けた粘着シ−トを粘着剤層を外側に向けて巻回した粘着シ−ト巻回体を前記ロ−ルに装着し、粘着シ−ト巻回体表面から離隔した位置に放電用電極を配してなるロ−ル式除塵クリ−ナを使用して除塵する方法であり、ア−ム取手を接地し、放電用電極で放電させ、この放電で塵等の微粒子を静電的に吸引しつつ上記粘着剤層で粘着捕捉することを特徴とする。
本発明に係る他の除塵方法は、水平軸部を有するア−ム取手の水平軸部にロ−ルを軸支し、片面に粘着剤層を設けた粘着シ−トを粘着剤層を外側に向けて巻回した粘着シ−ト巻回体を前記ロ−ルに装着し、粘着シ−ト巻回体表面に接触して荷電用電極を配してなるロ−ル式除塵クリ−ナを使用して除塵する方法であり、ア−ム取手を接地し、荷電用電極により荷電し、この荷電で塵等の微粒子を静電的に吸引しつつ上記粘着剤層で粘着捕捉することを特徴とする。
本発明に係る他の除塵方法は、水平軸部を有するア−ム取手の水平軸部に半導電性ロ−ルを軸支し、片面に粘着剤層を設けた粘着シ−トを粘着剤層を外側に向けて巻回した粘着シ−ト巻回体を前記半導電性ロ−ルに装着し、該ロ−ルを接触または放電により荷電する電極を設けてなるロ−ル式除塵クリ−ナを使用して除塵する方法であり、前記水平軸部を接地し、前記ロールを荷電し、この荷電で塵等の微粒子を静電的に吸引しつつ上記粘着剤層で粘着捕捉することを特徴とする。
【０００６】
【発明の実施の形態】
以下、図面を参照しつつ本発明の実施の形態を説明する。
図１は本発明において使用されるロ−ル式除塵クリ−ナの一例を示している。
図１において、１はア−ム取手であり、金属製ア−ム１１（絶縁被覆を施すこともできる）の一端に絶縁樹脂製取手１２を取付け、ア−ム他端に金属製水平軸部１３を設けてある。１４は金属製または樹脂製のロ−ル１４であり、水平軸部１３に回転自在に支持してある。１５は水平軸部１３の両端に補助軸１５１を突設し、この補助軸に回転自在に軸支した接地ロ−ル、または接地シ−ト（例えば、導電ゴム製）であり、ロ−ル端から数ｍｍ以上離して設けてある。２は粘着シ−ト巻回体であり、基材の片面に粘着剤層を設けた片面粘着シ−ト２１を巻芯（例えば、ボ−ル紙製）２２に巻回し、巻芯２２においてロ−ル１４に装着してある。３は取手１２内に組み込んだ高電圧発生器であり、取手外面に押しボタンスイッチ（図示せず）を設けてある。４は高電圧発生器３の出力端に連結した絶縁被覆導体棒（絶縁被覆電線）、５は絶縁被覆導体棒４の先端に取り付けた放電用電極であり、粘着シ−ト巻回体２の表面から離隔して配設してある。
【０００７】
上記ロ−ル式除塵クリ−ナを使用して除塵を行うには、高電圧発生器をスイッチオンして放電用電極を課電すると共に粘着シ−ト巻回体装着ロ−ル及び接地ロ−ルを床面に接触させて回動させて行く。
この場合、放電用電極５でコロナ放電が発生され、この電極５から接地電位の水平軸部１５に向かう電気力線により、図２に示すように、巻回体表面が荷電され、電荷＋Ｑを生じる。この電荷が作る電気力線により床表面に反対極性の電荷が誘導されるから、床表面に存在する塵の表面にも反対極性の電荷が誘導され、この荷電塵がロ−ルの回転に伴い巻回体表面に静電的に吸引されていく。従って、床面等の凹部に付着している塵や床面近傍の空間等に浮遊している塵等の捕捉も可能となる。
【０００８】
上記において、ア−ム取手１の取手１２を導電性にして、水平軸部１３を人体を通して接地することもできる。この場合、高電圧電源３の一端をア−ム取手１に接続することができ、かかるもとでも人体に障害を及ぼさないように、人体を通しての接地時の電流を５μA以下に抑え得るよう出力抵抗が挿入される。
【０００９】
上記の例では絶縁導体先端の電極を粘着シ−ト巻回体より離隔しているが、この放電用電極に代え接触式の荷電用電極を使用し、図３に示すように、この荷電用電極５０を粘着シ−ト巻回体２の表面に接触させることもできる。
【００１０】
図４は本発明において使用するロ−ル式除塵クリ−ナの別例を示し、ロ−ル１４を表面抵抗率が１０６〜１０１２Ωの半導電性とし、例えば、導電樹脂製とし、高電圧発生器３からの絶縁被覆電線４をロ−ル１４内に導入し、その電線先端の接触式電極５０を半導電性ロ−ル１４の内面に接触させてある。
図５は本発明において使用するロ−ル式除塵クリ−ナの他の別例を示し、ロ−ル１４を表面抵抗率が１０６〜１０１２Ωの半導電性とし、例えば、導電樹脂製とし、高電圧発生器３からの絶縁被覆電線４をロ−ル内に導入し、その電線先端の放電用電極５を半導電性ロ−ル１４の内面から離隔して配設してある。
図４及び図５において、１３１、１３１はスライドスペ−サを示している。
【００１１】
これらのロ−ル式除塵クリ−ナでは、接触電極５０の電荷、または放電用電極５で発生された電荷がロ−ル１４の内面に接触し、接触面を通って接地ロ−ルに流れる。この場合、接触抵抗及びロ−ル表面抵抗が充分に高いので、ロ−ル１４を荷電状態に保持できる。従って、このロ−ルの電荷とこの電荷に対する影像電荷に基づき電気力線が作用し、床面等の凹部に付着している塵や床面近傍の空間等に浮遊している帯電塵等の捕捉が可能となる。
【００１２】
本発明において使用する除塵クリ−ナにおいて、絶縁導体棒または絶縁被覆電線の先端の電極は、放電用か接触用かの形式に応じて適宜の形状にされ、例えば、金属繊維やカ−ボン繊維を使用することができる。
本発明において、高電圧発生器には、電源として電池または１００ボルト電源を用いた発生電圧±５〜±５０ｋｖ好ましくは２５ｋｖ以下のものが使用され、電源内部インピ-ダンスまたは外部抵抗の接続により電圧課電時の充電電流を１０μA、好ましくは、５μA以下とした感電時の衝撃の小さいタイプを使用することが望ましい。また、省エネルギ−のため断続的に印加するものの選択使用も可能である。更にまた、発生電圧は、塵等の量、重さ或いは被除塵面の凹凸状況等に応じて選定される。
この発生電圧の如何によっては、放電用電極または接触用電極等と人体との接触を防止するためのカバ−を設けることが安全である。
【００１３】
本発明において、水平軸部１３は電源３の一端側の接地のためにア−ム部１１と共に接地される。
本発明において、接地ロ−ル１５はロ−ル１４両端の片側にのみ設けてもよい。また、接地ロ−ル１５をロ−ル１４の前後、また、前後の何れか一方に付設してもよい。接地ロ−ル１５に代え、接地シ−ト、接地チェ−ン、接地ブラシ等を使用することもできる。
ただし、巻回体表面の帯電電荷と接地ロ−ル１５等との絶縁のために、巻回体の端（ロ−ル端）と接地ロ−ル１５との間に充分な絶縁距離を設定するか、絶縁体を介在させることが安全である。
本発明において、粘着シ−トの基材には例えば、不織布、織布、フエルト、プラスチックネット、紙等を使用でき、粘着剤には、ゴム系、アクリル系粘着剤の外、例えば、ワックス、グリス、オイル、ペトラタム等の粘稠性物質も使用できる。
【００１４】
本発明によれば、１μｍ以下の微粒子や病原菌の捕捉が可能であり、特に、半導体製造のクリ−ンル−ムや病院での使用に好適である。
【００１５】
【発明の効果】
本発明に係る除塵方法によれば、床面上の塵等を接触により粘着捕捉し得るにとどまらず、この接触捕捉では捕捉し得ない床面凹部の付着塵や床面上近傍空間の浮遊帯電塵も捕捉できる。
【図面の簡単な説明】
【図１】  請求項１に係るロ−ル式除塵クリ−ナを示す図面である。
【図２】  請求項１に係るロ−ル式除塵クリ−ナ使用時の電荷分布を示す図面である。
【図３】  請求項２に係るロ−ル式除塵クリ−ナを示す図面である。
【図４】  請求項３に係るロ−ル式除塵クリ−ナの一例を示す図面である。
【図５】  請求項３に係るロ−ル式除塵クリ−ナの別例を示す図面である。
【符号の説明】
１            ア−ム取手
１１          ア−ム
１２          取手
１３          水平軸
１４          ロ−ル
２            粘着シ−ト巻回体
３            高電圧発生器
５            放電用電極
５０          課電用電極
【図１】
0004427826.tif 000002
【図２】
0004427826.tif 000003
【図３】
0004427826.tif 000004
【図４】
0004427826.tif 000005
【図５】
0004427826.tif 000006